(57)【特許請求の範囲】
【請求項１】
音声信号とデータ信号とを切り分けるための複数のスプリッター基盤と、該複数のスプリッター基盤を収容する筐体とで構成されるＤＳＬスプリッターユニットであって、
前記筐体は、
電話加入者側のＭＤＦに接続される複数の加入者側ＭＤＦコネクタと、
電話交換機側のＭＤＦに接続される複数の交換機側ＭＤＦコネクタとを備え、
前記各スプリッター基盤は、
ＤＳＬモデムからの所定チャネル分の配線を接続するためのモデム接続端子と、
前記筐体の前記加入者側ＭＤＦコネクタに接続するための加入者側ＭＤＦ接続端子と、
前記筐体の前記交換機側ＭＤＦコネクタに接続するための交換機側ＭＤＦ接続端子と、
前記モデム接続端子、前記加入者側ＭＤＦ接続端子及び前記交換機側ＭＤＦ接続端子を相互に接続する基盤上の回路配線と、
前記基盤上の回路配線を通る前記音声信号と前記データ信号とを切り分ける信号分離手段と、
を備えたＤＳＬスプリッターユニット。
【請求項２】
前記信号分離手段は、前記加入者側ＭＤＦ接続端子側から前記交換機側ＭＤＦ接続端子側への前記音声信号の出力を許容し、前記モデム接続端子側から前記交換機側ＭＤＦ接続端子側への前記データ信号の出力を禁止する信号フィルターを含む請求項１に記載のＤＳＬスプリッターユニット。
【請求項３】
前記信号分離手段は、前記加入者側ＭＤＦ接続端子側から前記モデム接続端子側への前記データ信号の出力を許容し、前記加入者側ＭＤＦ接続端子側から前記モデム接続端子側への前記音声信号の出力を禁止する信号フィルターを更に含む請求項２に記載のＤＳＬスプリッターユニット。
【請求項４】
前記回路配線上に、過電圧に対する保護回路を備えた請求項１〜３の何れかに記載のＤＳＬスプリッターユニット。
【請求項５】
前記回路配線が、２０チャネル分の信号線路を含む請求項１〜４の何れかに記載のＤＳＬスプリッターユニット。
【請求項６】
前記筐体の前記加入者側ＭＤＦコネクタ及び前記交換機側ＭＤＦコネクタは、
前記スプリッター基盤の前記加入者側ＭＤＦ接続端子又は前記交換機側ＭＤＦ接続端子を圧入して、その接点の接触を維持させる端子挿入部と、
前記加入者側のＭＤＦ又は前記交換機側のＭＤＦからの配線を接続可能にする配線接続部と、
を備えた請求項１〜５の何れかに記載のＤＳＬスプリッターユニット。
【請求項７】
前記各スプリッター基盤は、前記基盤上の回路配線上を通る信号の状態を監視できるようにするために、前記回路配線から分岐されたテスト用回路配線と、前記信号の状態を監視する機器を接続するためのテスト用接続端子とを更に備えた請求項１〜６の何れかに記載のＤＳＬスプリッターユニット。
【請求項８】
前記各スプリッター基盤が、ＡＤＳＬ通信方式に準拠したものである請求項１〜７の何れかに記載のＤＳＬスプリッターユニット。
【請求項９】
ＳＤＳＬ通信方式に準拠したスプリッター基盤を更に備え、該スプリッター基盤が、
ＤＳＬモデムからの所定チャネル分の配線を接続するためのモデム接続端子と、
前記筐体の前記加入者側ＭＤＦコネクタに接続するための加入者側ＭＤＦ接続端子と、
前記モデム接続端子と前記加入者側ＭＤＦ接続端子とを相互に接続する基盤上の回路配線と、
を備えた請求項８に記載のＤＳＬスプリッターユニット。
【請求項１０】
請求項１〜９の何れかに記載のＤＳＬスプリッターユニットを備えたＤＳＬ架装置。
【請求項１１】
前記各スプリッター基盤と接続されるＤＳＬモデムを更に備えた請求項１０に記載のＤＳＬ架装置。
【発明の詳細な説明】
【０００１】
【発明の属する技術分野】
本発明は、ＤＳＬ通信、特にＡＤＳＬ通信において音声信号とデータ信号とを切り分けるスプリッター装置に関するものである。
【０００２】
【従来の技術】
電話加入者線であるメタリックケーブルを用いてデジタルデータの通信を行うＤＳＬ(Digital Subscriber Line)通信技術の開発が盛んである。ＤＳＬは、電話で使用する４ｋＨｚまでの帯域よりも遥かに高い周波数までの帯域を使って、既存の電話加入者線に高速でデジタルデータを伝送可能とする。インターネットの普及に伴って、近年では特に、局から加入者側への通信速度を高速にしたＡＤＳＬ(Asymmetric DSL:非対称ＤＳＬ)が注目を浴びている。
【０００３】
図６は、既存の電話回線網を利用してＡＤＳＬ通信を行う場合の接続概念図である。電話局内６００においては、宅内からの加入者線を電話交換機６０２に集線して接続するために、ＭＤＦ(Main Distribution Frame:主配線盤)６０４が用いられている。ＡＤＳＬ通信においては、このＭＤＦ６０４にスプリッター装置６０６を介してＡＤＳＬモデム６０８を接続する。スプリッター装置６０６は、電話交換機６０２（交換機側ＭＤＦ）からの音声信号とＡＤＳＬモデム６０８からのデータ信号を重畳し、加入者側ＭＤＦを通して加入者線へ出力する。各宅内には、宅内スプリッター６１０が設置され、ここで入力信号は音声信号とデータ信号に切り分けられて、それぞれ電話又はコンピュータ等のデータ通信機器へ出力される。また、宅内からの音声又はデータ信号は、宅内スプリッタ６１０、ＭＤＦ６０４を介してスプリッター装置６０６へ入力され、それが音声信号であれば、交換機側のＭＤＦ６０４を介して電話交換機へ出力され、それがデータ信号であれば、ＡＤＳＬモデム６０８を介してＬＡＮ等のネットワークへ出力される。
【０００４】
【発明が解決しようとする課題】
ＡＤＳＬ通信においては、通常、上記スプリッター装置６０６は、ＡＤＳＬモデムと共に、電話局内に置かれる架６１２（以下、これをＡＤＳＬ架又はＡＤＳＬ架装置という）内に装備される。ＡＤＳＬ架６１２においては、スプリッター装置６０６を、加入者側及び交換機側のＭＤＦにおける多数の回線と接続するために、従来から端子盤６１４が用いられている。
【０００５】
しかしながら、端子盤を用いたスプリッター装置とＭＤＦとの接続においては、以下のような問題があった。
（１）端子盤とスプリッター装置とを接続するために、その回線数に応じた極めて多数の接続ケーブルが用いられるため、その間の接続に相当の時間を要し、また誤配線を引き起こす可能性も高かった。
（２）前記接続ケーブルの引き回しのために、十分なスペースが必要となり、これがＡＤＳＬ架の小型化の妨げとなっている。
（３）端子盤を介してスプリッター装置とＭＤＦとの接続を行う場合においては、通信障害が発生した場合の点検及び原因の切り分けが困難である。
【０００６】
従って本発明の目的は、前記端子盤及びその接続ケーブルを用いることなく、スプリッター装置をＭＤＦへ接続できるようにし、これによって前記従来の課題を解決することにある。
【０００７】
【課題を解決するための手段】
本発明は、音声信号とデータ信号とを切り分けるための複数のスプリッター基盤と、該複数のスプリッター基盤を収容する筐体とで構成されるＤＳＬスプリッターユニットを提供する。ＤＳＬスプリッターユニットにおいて、前記筐体は、電話加入者側のＭＤＦに接続される複数の加入者側ＭＤＦコネクタと、電話交換機側のＭＤＦに接続される複数の交換機側ＭＤＦコネクタとを備え、前記各スプリッター基盤は、ＤＳＬモデムからの所定チャネル分の配線を接続するためのモデム接続端子と、前記筐体の前記加入者側ＭＤＦコネクタに接続するための加入者側ＭＤＦ接続端子と、前記筐体の前記交換機側ＭＤＦコネクタに接続するための交換機側ＭＤＦ接続端子と、前記モデム接続端子、前記加入者側ＭＤＦ接続端子及び前記交換機側ＭＤＦ接続端子を相互に接続する基盤上の回路配線と、前記基盤上の回路配線を通る前記音声信号と前記データ信号とを切り分ける信号分離手段とを備える。
【０００８】
前記構成からなるＤＳＬスプリッターユニットを用いる場合、各スプリッター基盤と、加入者側ＭＤＦ又は交換機側ＭＤＦとを接続するために、端子盤は必要ない。
【０００９】
本発明において、前記信号分離手段は、前記加入者側ＭＤＦ接続端子側から前記交換機側ＭＤＦ接続端子側への前記音声信号の出力を許容し、前記モデム接続端子側から前記交換機側ＭＤＦ接続端子側への前記データ信号の出力を禁止する信号フィルターを含む。
【００１０】
また、前記信号分離手段は、前記加入者側ＭＤＦ接続端子側から前記モデム接続端子側への前記データ信号の出力を許容し、前記加入者側ＭＤＦ接続端子側から前記モデム接続端子側への前記音声信号の出力を禁止する信号フィルターを含む。
【００１１】
また、本発明は、前記回路配線上に、過電圧に対する保護回路を備えても良い。
【００１２】
また、好ましい実施形態において、前記回路配線が、２０チャネル分の信号線路を含む。
【００１３】
更に、本発明において、前記筐体の前記加入者側ＭＤＦコネクタ及び前記交換機側ＭＤＦコネクタは、前記スプリッター基盤の前記加入者側ＭＤＦ接続端子又は前記交換機側ＭＤＦ接続端子を圧入して、その接点の接触を維持させる端子挿入部と、前記加入者側のＭＤＦ又は前記交換機側のＭＤＦからの配線を接続可能にする配線接続部とを備えることが好ましい。
【００１４】
また、前記各スプリッター基盤は、前記基盤上の回路配線上を通る信号の状態を監視できるようにするために、前記回路配線から分岐されたテスト用回路配線と、前記信号の状態を監視する機器を接続するためのテスト用接続端子とを備えることが好ましい。
【００１５】
好適な実施形態において、前記各スプリッター基盤は、ＡＤＳＬ通信方式に準拠したものである。
【００１６】
また、本発明のＤＳＬスプリッターユニットは、ＳＤＳＬ通信方式に準拠したスプリッター基盤を更に備え、該スプリッター基盤が、ＤＳＬモデムからの所定チャネル分の配線を接続するためのモデム接続端子と、前記筐体の前記加入者側ＭＤＦコネクタに接続するための加入者側ＭＤＦ接続端子と、前記モデム接続端子と前記加入者側ＭＤＦ接続端子とを相互に接続する基盤上の回路配線とを備えることができる。
【００１７】
本発明はまた、前記ＤＳＬスプリッターユニットを備えたＤＳＬ架装置に関し、これは、好適には前記各スプリッター基盤と接続されるＤＳＬモデムを備える。
【００１８】
【発明の実施の形態】
以下、本発明の一実施形態を図面に沿って詳細に説明する。図１は、本発明に係るＤＳＬスプリッターユニットを備えたＡＤＳＬ架装置の正面図である。ＡＤＳＬ架装置１００は、電話局内に設置され、ＡＤＳＬ通信を実現するための設備機器を、そのフレーム筐体１０２内に収容したものである。ＡＤＳＬ架装置１００のフレーム筐体１０２には、その必要に応じて、電源ユニット１０４、過電圧などに対する監視ユニット１０６、ＡＤＳＬモデムユニット１０８、本発明に係るＤＳＬスプリッターユニット１１０等の各種ユニットが実装される。図においては、２つのＤＳＬスプリッターユニット１１０が収容されたものが示されている。
【００１９】
図２は、本発明に係るＤＳＬスプリッターユニットの斜視図を示している。図においてＤＳＬスプリッターユニット１１０は、複数枚のスプリッター基盤２００と、これらスプリッター基盤２００を収容するユニット筐体２０２で構成される。
【００２０】
スプリッター基盤２００は、ＡＤＳＬ通信におけるスプリッター装置の機能を実現するもので、ここで通信経路中の音声信号とデータ信号が切り分けられ、また重畳される。１枚のスプリッター基盤２００には、複数チャネル（実施例では２０チャネル）分の信号が入力され処理される。各スプリッター基盤２００は、プリント配線基板上にその機能を実現するための電子部品を備えて構成され、その前面側には一対のコネクタ２０４、２０６が設置される。
【００２１】
一方のコネクタ２０４には、前記ＡＤＳＬ架装置１００内に実装されるＡＤＳＬモデムユニット１０８から引き出されるケーブルのコネクタ（図示せず）が接続される（以下では、本コネクタ２０４をモデムコネクタ２０４と称する）。ＡＤＳＬモデムユニット１０８からの複数チャネル分の信号が、該モデムコネクタ２０４を介してスプリッター基盤２００内に導かれる。
【００２２】
他方のコネクタ２０６には、スプリッター基盤２００内を伝送される信号の伝送特性を監視するための信号モニター装置（図示せず）を接続することができる（以下では、本コネクタ２０６を試験コネクタ２０６と称する）。試験コネクタ２０６を介して信号モニター装置を接続することにより、本スプリッター基盤の運用に先立って、基盤内の信号の伝送特性を監視することが可能となる。なお、信号モニター装置は、ＡＤＳＬ架装置１００内に実装しても良いし、また架外にあるものを用いても良い。信号の測定に際し、信号モニター装置をネットワークを介して遠隔からコントロールできるように構成することができる。
【００２３】
各スプリッター基盤２００は、その背面側に４つの接続端子２０８〜２１４を備えている。これらの接続端子２０８〜２１４は、後述するユニット筐体２０２のコネクタを介して、電話局内のＭＤＦに接続される。すなわち、接続端子２０８及び２１０は、スプリッター基盤２００をユニット筐体２０２に装着したときに、電話交換機側のＭＤＦに接続されたユニット筐体２０２側のコネクタ２１６及び２１８に挿入され、また接続端子２１２及び２１４は、加入者側のＭＤＦに接続されたユニット筐体２０２側のコネクタ２２０及び２２２に挿入される。以下では、接続端子２０８及び２１０を交換機側ＭＤＦ接続端子と称し、接続端子２１２及び２１４を加入者側ＭＤＦ接続端子と称する。
【００２４】
前記各接続端子２０８〜２１４、前記モデムコネクタ２０４及び前記試験コネクタ２０６は、スプリッター基盤２００上でそこに形成された回路配線により相互に接続される。スプリッター基盤２００上の配線系統及び該回路配線上の機能部品については後述する。
【００２５】
一方、ユニット筐体２０２は、その取り付けリブ２２４を介して図１に示したＡＤＳＬ架装置のフレーム筐体１０２に装着されるもので、その内部に複数枚（図の例では１０枚）のスプリッター基盤２００を積層状に収容可能とする。各スプリッター基盤２００は、その両側片をユニット筐体２０２内壁のレール２２６に沿わせて挿入される。ユニット筐体２０２の背面には、前記スプリッター基盤２００の各接続端子２０８〜２１４を挿入してその電気的接続を維持するコネクタ２１６〜２２２が設置されている。各コネクタ２１６〜２２２は、この目的のために、各接続端子２０８〜２１４を圧入保持すると共に、その表面に露出された各信号線に接触される電極を有する挿入部を備えている。また、各コネクタ２１６〜２２２は、その背面側、すなわちユニット筐体２０２から外側に露出する側において、ＭＤＦからの配線を接続できるよう構成されている。すなわち、ＭＤＦからの多数の配線は、ＡＤＳＬ架装置１００内に引き込まれ、そのうち、電話交換機側のＭＤＦからの配線は、対応する前記コネクタ２１６及び２１８に接続され、また加入者側のＭＤＦからの配線は、対応する前記コネクタ２２０及び２２２に接続される。一つの実施例でコネクタ２１６〜２２２は、電極をＶ字状の刃面とし、皮膜された配線をここで押し切りすることによって、その接続を維持するようにしたものとすることができる。
【００２６】
図３は、スプリッター基盤２００を収容した状態におけるＤＳＬスプリッターユニット１１０の正面図を示している。図において、ユニット筐体２０２内に収容されたスプリッター基盤２００の各コネクタ、すなわちモデムコネクタ２０４及び試験コネクタ２０６が、整然と配列されている様子が示されている。ＡＤＳＬモデムからの複数のケーブルのコネクタは、前記モデムコネクタ２０４のそれぞれに接続される。また、試験コネクタ２０６には必要に応じて試験モニター装置からのケーブルが接続される。
【００２７】
図４は、ＤＳＬスプリッターユニット１１０の背面図を示している。図には、交換機側のＭＤＦからの配線を接続するためのコネクタ２１６及び２１８、並びに加入者側のＭＤＦからの配線を接続するためのコネクタ２２０及び２２２が、整然と配列された様子が示されている。
【００２８】
図５は、スプリッター基盤２００上の配線系統図を示している。以下では、本図に従ってスプリッター基盤上の回路構成及びその機能を説明する。上述のようにスプリッター基盤２００は、ＡＤＳＬモデムへ接続されるモデムコネクタ２０４、信号モニター装置を接続可能にする試験コネクタ２０６、交換機側のＭＤＦに接続される交換機ＭＤＦ接続端子２０８及び２１０、並びに加入者側のＭＤＦに接続される加入者ＭＤＦ接続端子２１２及び２１４を備えている。スプリッター基盤２００上には、図に示すように、２０チャンネル分の回路配線２３０が形成されている。回路配線２３０は、モデムコネクタ２０４から延びる信号線路２３０ａ、交換機ＭＤＦ接続端子２０８及び２１０から延びる信号線路２３０ｂ、及び加入者ＭＤＦ接続端子２１２及び２１４から延びる信号線路２３０ｃを含んでおり、これらの線路は、結合点２３２において相互に接続されている。回路配線２３０は、また、試験コネクタ２０６から延びる信号線路２３０ｄを含んでおり、これは前記信号線路２３０ｃに接続されている。
【００２９】
前記信号線路２３０ａ上には、ＤＣブロッキングコンデンサ２３４が接続されている。ＤＣブロッキングコンデンサ２３４は、入力信号の周波数が高い場合にはショートのように働き、その周波数が低い場合にはこれをカットする、ハイパスフィルターとして機能する。すなわち、ＤＣブロッキングコンデンサ２３４は、加入者ＭＤＦ又は交換機ＭＤＦからスプリッター基盤２００に入力される信号のうち、ＡＤＳＬによるデータ信号（高周波成分）のみＡＤＳＬモデム側へ通過させ、音声信号（低周波成分）のＡＤＳＬモデムへの入力を阻止する。
【００３０】
また、前記信号線２３０ｂ上には、ローパスフィルタ２３６が接続されている。ローパスフィルタ２３６は、交換機ＭＤＦ側へ音声信号のみを通過させるもので、交換機ＭＤＦ側へのデータ信号の出力がここで禁止される。また、前記信号線２３０ｃ上には、過電圧保護回路２３８が備えられている。過電圧保護回路２３８は、雷過電圧、開閉過電圧等の過電圧に対し、スプリッター基盤２００上の回路を保護する。
【００３１】
前記回路構成において、交換機側のＭＤＦから交換機ＭＤＦ接続端子２０８及び２１０を介して信号線２３０ｂに入力された音声信号と、ＡＤＳＬモデムからモデムコネクタ２０４を介して信号線２３０ａに入力されたデータ信号とは、結合点２３２で重畳され、信号線２３０ｃから加入者ＭＤＦ接続端子２１２及び２１４に出力される。この信号は、コネクタ２２０及び２２２からケーブルを通して加入者側のＭＤＦに出力され、対象の宅内へ搬送される。図６を用いて説明したように、宅内では宅内スプリッターによって音声信号とデータ信号が分離され、それぞれ対応する端末（電話機又はパソコン）で処理される。
【００３２】
一方、加入者側のＭＤＦから加入者ＭＤＦ接続端子２１２及び２１４を介してスプリッター基盤２００上に入力される信号は、信号線路２３０ｃから信号線路２３０ａ及び２３０ｂに伝送される。信号線路２３０ａに伝送された信号は、ＤＣブロッキングコンデンサ２３４によって、その高周波成分、すなわちデータ信号成分のみがモデムコネクタ２０４側へ出力される。これによって、ここに接続されたＡＤＳＬモデムへは、入力信号のうちデータ信号のみが出力されることとなる。また、信号線路２３０ｂに伝送された信号は、ローパスフィルタ２３６によって、その低周波成分、すなわち音声信号成分のみが交換機ＭＤＦ接続端子２１６及び２１８側へ出力される。これによって、ここに接続された交換機側のＭＤＦへは、入力信号のうち音声信号のみが出力されることとなる。以上のようにして、スプリッター基盤２００上で音声信号とデータ信号とが重畳され、また分離される。
【００３３】
前記ＤＳＬスプリッターユニット１１０は、ＳＤＳＬ(symmetric DSL:対称ＤＳＬ)通信に準拠したスプリッター基盤を、前記ＡＤＳＬ通信に準拠したスプリッター基盤と混在して備えることができる。ＳＤＳＬ通信用のスプリッター基盤は、例えば、音声信号を伝送しない構成とすることができ、この場合、ＡＤＳＬモデムと加入者ＭＤＦとを結ぶ信号線路と、試験用信号線路のみを配線する。
【００３４】
以上、本発明の一実施形態を図面に沿って説明した。本発明の適用範囲は、前記実施形態に記述のものに限定されず、特許請求の範囲の記載に基づいて、その変形、改良が可能である。本発明のＤＳＬスプリッターユニットは、ＡＤＳＬ以外のＤＳＬ通信規格に準拠して構成することもできる。また、本発明に係るＤＳＬスプリッターユニットは、局内ＭＤＦ架内に設置することも可能であり、この場合、さらに接続配線を簡略化できる。更に、本実施形態では、スプリッター基盤２００上にＡＤＳＬモデムからのケーブルを接続するコネクタ２０４を備えたが、これをＭＤＦ接続端子２０８〜２１４と同様の接続端子構成としても良い。
【００３５】
【発明の効果】
本発明によれば、以下のような効果が得られる。
（１）スプリッター装置とＭＤＦとを接続するために、端子盤及び接続ケーブルが不要となり、接続作業が著しく簡素化され、また誤配線を引き起こす可能性が極めて低くなる。
（２）従来必要であった接続ケーブルの引き回しのためのスペースが不要となり、ＤＳＬ架内のスペースを有効に活用することができる。
（３）接続構成が簡略化されたため、通信障害が発生した場合の点検及び原因の切り分けが容易になる。
（４）接続に必要な部品点数を削減でき低コスト化を実現できる。
（５）スプリッター基盤上にテスト用の配線を備えた本発明においては、ＤＳＬ架装置を管理する事業者側において、障害発生時の回線状態を測定でき、速やかな障害判断及び定期診断が可能となる。
【図面の簡単な説明】
【図１】本発明に係るＤＳＬスプリッターユニットを備えたＡＤＳＬ架装置の正面図である。
【図２】本発明に係るＤＳＬスプリッターユニットの斜視図である。
【図３】スプリッター基盤を収容した状態におけるＤＳＬスプリッターユニットの正面図である。
【図４】ＤＳＬスプリッターユニットの背面図である。
【図５】スプリッター基盤上の配線系統図である。
【図６】既存の電話回線網を利用してＡＤＳＬ通信を行う場合の接続概念図である。
【符号の説明】
１００  ＡＤＳＬ架装置
１０２  フレーム筐体
１０４  電源ユニット
１０６  監視ユニット
１０８  ＡＤＳＬモデムユニット
１１０  スプリッターユニット
２００  スプリッター基盤
２０２  ユニット筐体
２０４  モデムコネクタ
２０６  試験コネクタ
２０８、２１０  交換機ＭＤＦ接続端子
２１２、２１４  加入者ＭＤＦ接続端子
２１６、２１８  交換機側コネクタ
２２０、２２２  加入者側コネクタ
２２４  リブ
２２６  レール
２３０  回路配線
２３０ａ〜２３０ｄ  信号線路
２３２  結合点
２３４  ＤＣブロッキングコンデンサ
２３６  ローパスフィルタ
２３８  過電圧保護回路
６００  電話局内
６０２  電話交換機
６０４  ＭＤＦ
６０６  スプリッター装置
６０８  ＡＤＳＬモデム
６１０  宅内スプリッター
６１２  ＡＤＳＬ架
６１４  端子盤
【図１】
0004488602.tif 000002
【図２】
0004488602.tif 000003
【図３】
0004488602.tif 000004
【図４】
0004488602.tif 000005
【図５】
0004488602.tif 000006
【図６】
0004488602.tif 000007